(57)【要約】【課題】設置位置の調整作業や、配線作業等を行う際、極めて容易に行うことができ、しかも、画像表示置を取付けたまま、より安定性を確保しながら移動を行うことができる壁寄せ可能な画像表示装置用取付スタンドを提供すること。【解決手段】画像表示装置が取り付けられる取付部２が立設されると共に裏面に床面Ｆに転動可能なキャスター６が設けられた上キャビネット３と、その上キャビネット３とスライド可能に係合され床面Ｆに当接される下キャビネット４とを備えて、上キャビネット３の移動に連係して壁寄せ面から下キャビネット４が出没可能な台座部１を構成し、壁寄せ時に壁寄せ面から下キャビネット４が没するように用いる。【選択図】図１
2008096513.tif 000002
【特許請求の範囲】
【請求項１】
壁寄せ面を備え床面を移動可能な台座部と、
該台座部に設けられ、画像表示装置が取り付けられる取付部と、
前記台座部の移動に連係して前記壁寄せ面から出没可能に構成され、前記床面に支持される支持部とを備えて成り、
前記支持部は、壁寄せ時に前記壁寄せ面から没するように構成されていることを特徴とする画像表示装置用取付スタンド。
【請求項２】
前記取付部は、前記画像表示装置が壁面に隣接されるように前記台座部に配設されていることを特徴とする請求項１記載の画像表示装置用取付スタンド。
【請求項３】
前記台座部は、
前記取付部が立設されると共に裏面に前記床面に転動可能なキャスターが設けられた上キャビネットと、
該上キャビネットとスライド可能に係合され前記床面に当接される下キャビネットとを備えてなり、
前記支持部は、前記下キャビネットであることを特徴とする請求項１または２記載の画像表示装置用取付スタンド。
【請求項４】
前記支持部は、弾発付勢されて前記壁寄せ面から出没可能に構成されて成ることを特徴とする請求項１または２記載の画像表示装置用取付スタンド。
【請求項５】
前記支持部は、前記台座部に一端が回動可能に支持されると共に、その一端を回動中心として他端が回動して壁寄せ面から突出するように弾発付勢されて成ることを特徴とする請求項１または２記載の画像表示装置用取付スタンド。
【請求項６】
前記支持部は、その裏面に、前記床面に転動可能なキャスターが設けられていることを特徴とする請求項４または５記載の画像表示装置用取付スタンド。
【発明の詳細な説明】
【技術分野】
【０００１】
本発明は、画像表示装置用取付スタンドに関する。
【背景技術】
【０００２】
画像表示装置には様々なものがあるが、その中でも、液晶やプラズマの技術を用いた薄型テレビがある。この薄型テレビはその名の如く奥行きが短いが、その形状を生かして（室内空間を広く取るために）壁面に取り付ける場合がある。しかしながら、薄型テレビを壁面に取り付ける場合は、当然のことながら壁面に取付ブラケットを取り付ける必要があり、ユーザーによっては躊躇していた。
【０００３】
そこで、画像表示装置を設置するスタンドを用いることにより、壁面を傷つけることもなく、また、室内空間も広く取れ、さらに、壁寄せすることで、少なくとも後方への転倒は壁面によって完全に防止できるので、極めて有効的なものといえる。
【０００４】
このようなスタンドとして、例えば、大型の表示装置を支持する垂直支持部材と、その支持部材の上下伸縮量に合わせて表示装置側へ伸縮される水平支持部材とを備えたものがある。このスタンドによれば、取付スタンド全体の転倒を防止できる、としている（例えば特許文献１参照）。
【０００５】
また、他の画像表示装置を取り付けるスタンドとしては、画像表示装置を載置させるベース板上の左右に２本のフレームを立設し、背面に平板を設けた壁寄せスタンド装置がある。この壁寄せスタンド装置によれば、ディスプレイ装置等を壁際に出っ張り感なく設置可能、としている（例えば特許文献２参照）。
【０００６】
【特許文献１】特開平３−９５５８６号公報（第１頁、図１）
【特許文献２】特開平１１−３７３８９号公報（第１頁、図１）
【発明の開示】
【発明が解決しようとする課題】
【０００７】
しかしながら、上記した画像表示装置用取付スタンドは、以下のような問題点を有していた。
すなわち、上記した何れの画像表示装置用取付スタンドは、床面に対して移動可能に構成されていないため、スタンドを設置し、画像表示装置をスタンドに載置した後では、動かすことは極めて容易ではなかった。つまり、画像表示装置を載置したスタンドごと持ち運ぶとなると、かなりの重量物になるため、極めて容易ではなく、そのため、スタンドに載置した画像表示装置を一旦降ろしてから移動することになるため、設置位置の調整作業等を行う際、極めて不便で利便性にかけていた。
【０００８】
特に、画像表示装置を壁寄せする場合、当然のことながらスタンド自体を壁寄せしておく必要があるが、そのため、画像表示装置をスタンドに載置した後では、画像表示装置より後方のスペースが壁面に遮られて極端に狭くなってしまう。このような狭いスペースでもって、配線作業（受信ケーブル、各種映像記録装置、各種受信装置等と画像表示装置との接続作業等）を行うのは非常に勝手が悪く、その改善が望まれていた。
【０００９】
仮に、画像表示装置用取付スタンドにキャスターを取り付けて移動可能にすれば、上記した問題点は解決できるが、しかしながら、少なくとも後方への転倒は壁面によって完全に防止されていたのが、移動による壁面から離間によって、より安定性を向上させる新たな手段が必要になり（予め後方への転倒を完全に防止するようにスタンドを形成すれば、逆に、壁面から遠ざかる構成になってしまい、壁寄せができない）、単に、キャスターを取り付けるだけでは上記の問題点を改善できなかった。
【００１０】
なお、上記した前者のスタンドを、仮に、画像表示装置の向きを逆向きにした場合、少なくとも後方への転倒を防止できるが、しかしながら、画像表示装置の設置高さに応じて水平支持部材が伸縮するため、壁寄せができない。
【００１１】
また後者のスタンドは、上記したように前者のスタンドと同じく移動可能な構成にはなっていない上に、アンカーとアンカーボルトを用いて壁面に固定する構成であるため、取付ブラケットと同様に壁面を傷付けることになり、ユーザーによっては躊躇してしまう。
【００１２】
そこで本発明は、このような状況に鑑みてなされたものであり、上記問題点を解決できる画像表示装置用取付スタンドを提供することを目的とする。
【課題を解決するための手段】
【００１３】
上記技術課題を達成するために、本発明にかかる画像表示装置用取付スタンドは、下記の技術的手段を講じた。
すなわち、本発明にかかる画像表示装置用取付スタンドは、壁寄せ面を備え床面を移動可能な台座部と、該台座部に設けられ、画像表示装置が取り付けられる取付部と、前記台座部の移動に連係して前記壁寄せ面から出没可能に構成され、前記床面に支持される支持部とを備えて成り、前記支持部は、壁寄せ時に前記壁寄せ面から没するように構成されていることを特徴とする。
また、本発明にかかる画像表示装置用取付スタンドは、前記発明において、前記取付部は、前記画像表示装置が壁面に隣接されるように前記台座部に配設されていることを特徴とする。
また、本発明にかかる画像表示装置用取付スタンドは、前記発明において、前記台座部は、前記取付部が立設されると共に裏面に前記床面に転動可能なキャスターが設けられた上キャビネットと、該上キャビネットとスライド可能に係合され前記床面に当接される下キャビネットとを備えてなり、前記支持部は、前記下キャビネットであることを特徴とする。
また、本発明にかかる画像表示装置用取付スタンドは、前記発明において、前記支持部は、弾発付勢されて前記壁寄せ面から出没可能に構成されて成ることを特徴とする。
また、本発明にかかる画像表示装置用取付スタンドは、前記発明において、前記支持部は、前記台座部に一端が回動可能に支持されると共に、その一端を回動中心として他端が回動して壁寄せ面から突出するように弾発付勢されて成ることを特徴とする。
また、本発明にかかる画像表示装置用取付スタンドは、前記発明において、前記支持部は、その裏面に、前記床面に転動可能なキャスターが設けられていることを特徴とする。
【発明の効果】
【００１４】
本発明によれば、床面を移動可能に台座部を構成したから、設置位置の調整作業や、配線作業等を行う際、極めて容易に行うことができ、しかも、壁寄せから離間する移動の際、壁寄せ時に壁寄せ面から没している支持部が移動に連係して延出するから、より安定性を確保しながら移動を行うことができる。
また、壁寄せ時に壁寄せ面から支持部が没して、壁寄せの邪魔にならないから、画像表示装置を壁面に隣接することができる。
【発明を実施するための最良の形態】
【００１５】
次に本発明にかかる画像表示装置用取付スタンドの実施の形態について説明する。なお、本実施の形態にかかる画像表示装置用取付スタンドは、薄型テレビを取り付けるのに好適な適画像表示装置用取付スタンドが例示されている。
図１〜図４は実施の形態１を、図５〜図８は実施の形態２を、図９は実施の形態３を、図１０、図１１は実施の形態４を夫々示している。
【００１６】
（実施の形態１）
実施の形態１にかかる画像表示装置用取付スタンドは、台座部１と、取付部２とを備えてなる。
【００１７】
台座部１は、上キャビネット３と、下キャビネット４（支持部）とを備えてなる。
上キャビネット３は、平面視略矩形状に形成され、その表面（上面）に、後述する取付部２が壁寄せ面Ａ側近傍の中央部から立設されていると共に、裏面には、その壁寄せ面Ａと直交する両側面側に所要長さのリニアガイド５が、図１において奥行き方向に延設されている。
【００１８】
また、このリニアガイド５より内方の裏面四隅には、床面Ｆに転動可能なキャスター６が取り付けられている。このキャスター６は、本実施の形態においては、図１において奥行き方向に転動可能なように取り付けられているが、台座部１が旋回移動できるように設けても良い。
また、この上キャビネット３の表面側には、所要長さの側面が全周に形成された断面視略コ字状の化粧パネル７が取り付けられている。
【００１９】
下キャビネット４は、上記したリニアガイド５の内方で、そのリニアガイド５と沿うようにリブ８が突設された平面視略矩形状に形成され、そのリブ８に、リニアガイド５と所要長さスライド可能に係合されたリニアレール９が取り付けられている。
【００２０】
また、この下キャビネット４は、図２に示すように、上キャビネット３の裏面四隅に取り付けられたキャスター６を露出させる開口部が形成されている。この開口部は、取付部２側の開口部１０が略矩形状の長孔に形成されており、取付部２と反対側の開口部１１は、縁部から切欠された凹状に形成されている。
この下キャビネット４は、その裏面が床面Ｆに当接されるように上キャビネット３と係合されている。
【００２１】
取付部２は、角パイプ状の部材を略門型状に形成されると共に、その内方に３つの帯板状の部材が上下に配設されてなり、上記したように、上キャビネット３の壁寄せ面Ａ側近傍の中央部から立設されている。
【００２２】
この取付部２には、画像表示装置Ｍを壁面Ｗに取り付けるための取付ブラケットＢが取り付けられるようになっており、その取付ブラケットＢを介して画像表示装置Ｍが取付部２に取り付けられるようになっている。
【００２３】
なお、本実施の形態では、角パイプ状の部材を略門型状に形成されたもののみを例示しているが、かかる部分に各種映像記録装置や各種受信装置等の電子機器が載置可能な棚部を形成しても良い。
【００２４】
次に、以上のように構成された実施の形態１にかかる画像表示装置用取付スタンドの設置作業の一例を説明する。
【００２５】
まず、取付部２に取付ブラケットＢを取り付けて、壁寄せ面Ａが設置させる壁面Ｗの近傍となるように画像表示装置用取付スタンドを移動する。
次いで、取付ブラケットＢを介して画像表示装置Ｍを取付部２に取付け、その取付が完了したら、受信ケーブル、各種映像記録装置、各種受信装置等と画像表示装置Ｍとの接続作業を行う。
【００２６】
接続作業が完了したら、設置させる壁面Ｗに壁寄せ面Ａが当接するまで、画像表示装置用取付スタンドを移動して一連の設置作業が終了する（図３参照）。
【００２７】
設置させる壁面Ｗに壁寄せ面Ａを当接して設置が完了した後、上記した接続作業が必要になった場合は、画像表示装置用取付スタンドを壁面Ｗから離間するように移動する。このとき、下キャビネット４は、図４に示すように、リニアガイド５とリニアレール９とのスライド可能範囲内、または、キャスター６を露出させる取付部２側の開口部１０の長さ内において、その位置を移動することなく留まっている。
【００２８】
そして、容易に作業できる距離だけ移動したら、接続作業を行う。その作業が完了したら、再度、設置させる壁面Ｗに壁寄せ面Ａが当接するまで、画像表示装置用取付スタンドを移動する。
【００２９】
このように、画像表示装置用取付スタンドを壁面Ｗから離間するように移動するときや、画像表示装置Ｍの取付方向側へ移動するとき、下キャビネット４は、壁寄せ面Ａから延出していき、床面Ｆとの接地面積が拡大されて画像表示装置用取付スタンドの安定性がより向上するようになっている。
【００３０】
次に、実施の形態２〜４を、順を追って説明するが、この実施の形態２〜４にかかる画像表示装置用取付スタンドは、実施の形態１で例示したラック状の画像表示装置用取付スタンドに替えて、図５に示すように、画像表示装置Ｍの脚部に取り付けられるスタンドを例示している。
【００３１】
（実施の形態２）
この実施の形態２にかかる画像表示装置用取付スタンドは、支持部１２が弾発付勢されて壁寄せ面Ａから出没可能に構成された例であり、台座部１３と、取付部１４と、支持部１２とを備えて構成されている。
【００３２】
台座部１３は、図６に示すように、図６において、水平方向に延設された幅広部１５と、その幅広部１５の両側に略ハの字状に下方へ延出された腕部１６とで、平面視略コ字状に形成されていると共に、その内部が中空に形成されている。なお、腕部１６側と反対側の幅広部１５の側面が壁寄せ面Ａとなる。
【００３３】
そして、夫々の、腕部１６の先細側端部の底側には、床面Ｆに転動可能なキャスター６が、上記した略ハの字状を形成させる傾斜角度でもって取り付けられている。
そして、キャスター６の中心線上で突き当たり面である幅広部１５の内壁が、その傾斜角度で内方に向かって筒状に形成されており、その筒状の部分に後述する支持部１２が配設されている。
【００３４】
取付部１４は、幅広部１５の中央に形成された楕円状の連通孔からなり、この連通孔に画像表示装置Ｍに取り付けられた脚部が係合されるようになっている。
【００３５】
支持部１２は、図７に示すように、上記した筒状の内壁にスライド可能に挿嵌され先端側が幅広部１５の外面と連続するように形成された筒状に形成されており、その支持部１２の先部には、回動可能に支持され床面Ｆに転動可能なキャスター６が設けられ、また、一端が支持部１２内に止着され他端が台座部１３内底面に止着されて張架された圧縮バネ１７によって、支持部１２が弾発付勢されて壁寄せ面Ａから出没可能に構成されている。
【００３６】
また、支持部１２の基部には、筒状の内壁に当接される突起状のストッパ１８が形成されている。また、支持部１２の先部に回動可能に支持されたキャスター６が、床面Ｆに転動されるように、筒状の内壁内の底面が切欠されている。
【００３７】
以上のように構成された実施の形態２にかかる画像表示装置用取付スタンドは、取付部１４に画像表示装置Ｍの脚部を係合して画像表示装置Ｍを取り付ける。
【００３８】
次に、この実施の形態２にかかる画像表示装置用取付スタンドを取り付けた画像表示装置Ｍの設置作業の説明であるが、その作業は上記した実施の形態１と同様であるため、詳細な説明は省略する。
【００３９】
なお、実施の形態２にかかる画像表示装置用取付スタンドは、図７及び図８に示したように、一端が支持部１２内に止着され他端が台座部１３内底面に止着されて張架された圧縮バネ１７と、支持部１２の先部に回動可能に支持されたキャスター６によって、支持部１２が弾発付勢されて壁寄せ面Ａからスムーズに出没可能に構成されていることから、移動方向に関係なく、移動の際、常に安定性がより向上するようになっている。
【００４０】
（実施の形態３）
実施の形態３にかかる画像表示装置用取付スタンドは、図９に示すように、台座部１９に支持部２０の一端が回動可能に支持され、その一端を回動中心として支持部２０の他端が回動して壁寄せ面Ａから突出するように弾発付勢された例である。この実施の形態３にかかる画像表示装置用取付スタンドは、台座部１９や取付部の基本的な形状は、実施の形態２にかかる画像表示装置用取付スタンドと同一であることから同一符号を付してかかる部分の詳細な説明は省略し、異なる構成部のみ説明する。
【００４１】
実施の形態３にかかる画像表示装置用取付スタンドは、幅広部１５と腕部１６との外側交差部の側面を切欠し、両端が凸湾曲された板状の支持部２０の一端が、かかる交差部内方で回動可能に軸支され、他端側の裏面にキャスター６が取り付けられてなる。
【００４２】
また回動中心の軸には、一端が支持部２０に係止され他端が台座部１９に係止された捩りコイルバネ２１が取り付けられており、支持部２０の他端側が外方から内方に向かって、常に回動可能に段発付勢されている。なお、回動角度は、幅広部１５と腕部１６との外側交差部の側面の切欠度合いによって設定されており、支持部２０の他端側が回動中心より内側に移動しないようになっている。
【００４３】
この実施の形態３にかかる画像表示装置用取付スタンドによれば、実施の形態２と同様に、移動方向に関係なく、移動の際、常に支持部２０が延出して、安定性がより向上するようになっている。
【００４４】
（実施の形態４）
実施の形態４にかかる画像表示装置用取付スタンドは、図１０及び図１１に示すように、実施の形態１と同様に、支持部２２が弾発付勢されて壁寄せ面Ａから出没可能に構成された例であり、実施の形態１と相違する主な点は、取付部１４を挟んで幅広部１５に支持部２２を並設させ、その支持部２２の構成が、圧縮バネ１７が張架される筒体２３と、その筒体２３に揺動可能に軸支され並設された筒体２３に架設されたプッシャー２４と、そのプッシャー２４内に回動可能に支持され床面Ｆに転動可能なキャスター６とを備え、そのプッシャー２４を壁寄せ面Ａから出没可能にしている点である。
この実施の形態４にかかる画像表示装置用取付スタンドによれば、上記と同様に、移動方向に関係なく、移動の際、常に安定性がより向上するようになっている。
【００４５】
以上のように本発明にかかる実施の形態によれば、キャスター６を設けて、床面Ｆを移動可能に台座部を構成したから、設置位置の調整作業や、配線作業等を行う際、極めて容易に行うことができ、しかも、壁寄せから離間する移動の際、壁寄せ時に壁寄せ面Ａから没している支持部２２が移動に連係して延出するようにしているから、より安定性を確保しながら移動を行うことができる。
また、壁寄せ時に壁寄せ面Ａから支持部２２が没して、壁寄せの邪魔にならないから、画像表示装置を壁面Ｗに隣接することができる。
【００４６】
以上、具体的な実施の形態について説明したが、本発明は上記実施の形態に限定されず、発明の要旨を変更しない範囲で適宜変更して実施できることは言うまでもない。
例えば実施の形態１で例示した支持部２２（下キャビネット）を他の実施の形態と同様に段発付勢させても良い。
【図面の簡単な説明】
【００４７】
【図１】実施の形態１にかかる画像表示装置用取付スタンドの一部切欠した正面図である。
【図２】同、底面図である。
【図３】同、右側面図である。
【図４】壁面から離間させた状態の右側面図である。
【図５】実施の形態２にかかる画像表示装置用取付スタンドの斜視図である。
【図６】同、一部切欠した平面図である。
【図７】同、腕部の縦断面図である。
【図８】壁面から離間させた状態の腕部の縦断面図である。
【図９】実施の形態３にかかる画像表示装置用取付スタンドの一部切欠した平面図である。
【図１０】実施の形態４にかかる画像表示装置用取付スタンドの一部切欠した平面図である。
【図１１】同、腕部の縦断面図である。
【符号の説明】
【００４８】
１  １３  １９  台座部
２  １４  取付部
３  上キャビネット
４  下キャビネット
５  リニアガイド
６  キャスター
７  化粧パネル
８  リブ
９  リニアレール
１０  取付部側の開口部
１１  取付部と反対側の開口部
１２  ２０  ２２  支持部
１５  幅広部
１６  腕部
１７  圧縮バネ
１８  ストッパ
２１  捩りコイルバネ
２３  筒体
２４  プッシャー
Ａ  壁寄せ面
Ｂ  取付ブラケット
Ｍ  画像表示装置
Ｆ  床面
Ｗ  壁面
【図１】
2008096513.tif 000003
【図２】
2008096513.tif 000004
【図３】
2008096513.tif 000005
【図４】
2008096513.tif 000006
【図５】
2008096513.tif 000007
【図６】
2008096513.tif 000008
【図７】
2008096513.tif 000009
【図８】
2008096513.tif 000010
【図９】
2008096513.tif 000011
【図１０】
2008096513.tif 000012
【図１１】
2008096513.tif 000013